(57)【要約】【課題】  この発明は、再生しようとする映像ソース中に、所定時間以内の区間内において、ある区間を挟んで同じシーンの区間が存在する場合には、再生時において、これらの同一シーン区間のうち、記録時刻の早い方の同一シーン区間の終了位置から記録時刻の遅い方の同一シーン区間の終了位置まで、スキップすることが可能となる映像再生装置を提供することを目的とする。【解決手段】  再生位置がスキップ位置特定処理手段によって登録されているペアデータのスキップ開始位置に到達したときには、スキップが可能である旨を表示させる第１手段、および第１手段によってスキップが可能である旨が表示されている間において、ユーザによってスキップ指令が入力されたときには、再生位置を上記ペアデータのスキップ終了位置までスキップさせるとともにスキップが可能である旨の表示を消去させる第２手段を備えている。【選択図】  図１
2006041914.tif 000002
【特許請求の範囲】
【請求項１】
記録媒体に記録された映像ソースを再生する機能を備えた映像再生装置において、
記録媒体に記録された映像ソースに基づいて、当該映像ソース中に、所定時間以内の区間内において、ある区間を挟んで同じシーンの区間が存在するか否かを判別していき、存在する場合にはこれらの同一シーン区間のうち記録時刻の早いほうの同一シーン区間の終了位置と記録時刻の遅い方の同一シーン区間の終了位置とを、それぞれスキップ開始位置およびスキップ終了位置のペアデータとして登録させるスキップ位置特定処理手段、ならびに
再生時において、スキップ位置特定処理手段によって登録されたペアデータに基づいてスキップ処理を行うためのスキップ処理手段を備えており、
スキップ処理手段は、再生位置がスキップ位置特定処理手段によって登録されているペアデータのスキップ開始位置に到達したときには、スキップが可能である旨を表示させる第１手段、および第１手段によってスキップが可能である旨が表示されている間において、ユーザによってスキップ指令が入力されたときには、再生位置を上記ペアデータのスキップ終了位置までスキップさせるとともにスキップが可能である旨の表示を消去させる第２手段を備えていることを特徴とする映像再生装置。
【請求項２】
記録媒体に記録された映像ソースを再生する機能を備えた映像再生装置において、
記録媒体に記録された映像ソースに基づいて、当該映像ソース中に、所定時間以内の区間内において、ある区間を挟んで同じシーンの区間が存在するか否かを判別していき、存在する場合にはこれらの同一シーン区間のうち記録時刻の早いほうの同一シーン区間の終了位置と記録時刻の遅い方の同一シーン区間の終了位置とを、それぞれスキップ開始位置およびスキップ終了位置のペアデータとして登録させるスキップ位置特定処理手段、ならびに
再生時において、スキップ位置特定処理手段によって登録されたペアデータに基づいてスキップ処理を行うためのスキップ処理手段を備えており、
スキップ処理手段は、再生位置がスキップ位置特定処理手段によって登録されているペアデータのスキップ開始位置に到達したときには、再生位置を上記ペアデータのスキップ終了位置までスキップさせる手段を備えていることを特徴とする映像再生装置。
【請求項３】
記録媒体に記録された映像ソースを再生する機能を備えた映像再生装置において、
記録媒体に記録された映像ソースに基づいて、当該映像ソース中に、所定時間以内の区間内において、ある区間を挟んで同じシーンの区間が存在するか否かを判別していき、存在する場合にはこれらの同一シーン区間のうち記録時刻の早いほうの同一シーン区間の開始位置と記録時刻の遅い方の同一シーン区間の開始位置とを、それぞれスキップ開始位置およびスキップ終了位置のペアデータとして登録させるスキップ位置特定処理手段、ならびに
再生時において、スキップ位置特定処理手段によって登録されたペアデータに基づいてスキップ処理を行うためのスキップ処理手段を備えており、
スキップ処理手段は、再生位置がスキップ位置特定処理手段によって登録されているペアデータのスキップ開始位置に到達したときには、スキップが可能である旨を表示させる第１手段、および第１手段によってスキップが可能である旨が表示されている間において、ユーザによってスキップ指令が入力されたときには、再生位置を上記ペアデータのスキップ終了位置までスキップさせるとともにスキップが可能である旨の表示を消去させる第２手段を備えていることを特徴とする映像再生装置。
【請求項４】
記録媒体に記録された映像ソースを再生する機能を備えた映像再生装置において、
記録媒体に記録された映像ソースに基づいて、当該映像ソース中に、所定時間以内の区間内において、ある区間を挟んで同じシーンの区間が存在するか否かを判別していき、存在する場合にはこれらの同一シーン区間のうち記録時刻の早いほうの同一シーン区間の開始位置と記録時刻の遅い方の同一シーン区間の開始位置とを、それぞれスキップ開始位置およびスキップ終了位置のペアデータとして登録させるスキップ位置特定処理手段、ならびに
再生時において、スキップ位置特定処理手段によって登録されたペアデータに基づいてスキップ処理を行うためのスキップ処理手段を備えており、
スキップ処理手段は、再生位置がスキップ位置特定処理手段によって登録されているペアデータのスキップ開始位置に到達したときには、再生位置を上記ペアデータのスキップ終了位置までスキップさせる手段を備えていることを特徴とする映像再生装置。
【発明の詳細な説明】
【技術分野】
【０００１】
この発明は、映像再生装置に関する。
【背景技術】
【０００２】
デジタルＴＶ放送、あるいはアナログ映像をデジタル情報にサンプリングしたデータ等をＭＰＥＧ等の動画圧縮手法により圧縮した後、ハードディスクやその他の記録メディアに蓄積しておき、ユーザが視聴したいときに再生できるようにした映像記録再生装置が知られている。
【０００３】
このように映像記録再生装置においては、記録メディアに蓄積されている複数の映像ソースから、視聴したいものを選択して再生することができるようになっている。また、この種の映像記録再生装置は、一般的に、早送りや巻き戻しなど、特定の映像ソース中の任意の場所を、映像を確認しながら検索できる機能を備えている。
【０００４】
ところで、最近、バラエティ番組等において、ＣＭの前後に同じシーンが放送されるといったことがよく行われている。これは、ＣＭ中またはＣＭの直後からそのチャンネルを視聴し始めた視聴者に対し、番組内容の途中経過を知らしめ、より興味をもって番組を視聴するように仕向けるものではあるが、ＣＭの前からそのチャンネルを視聴し続けている視聴者にとっては同じシーンを２度も見ることになり、時間の無駄であり退屈な印象を与える。
【０００５】
このような番組を映像記録再生装置に記録しておいて再生した場合、同じシーンを２度見るのを避けるためには、視聴者が２度目の同じシーンを早送りしなければならない。この際、一度も見ていないシーンまで早送りをしてしまった場合には、巻き戻しをしなければならない。
【発明の開示】
【発明が解決しようとする課題】
【０００６】
この発明は、再生しようとする映像ソース中に、所定時間以内の区間内において、ある区間を挟んで同じシーンの区間が存在する場合には、再生時において、これらの同一シーン区間のうち、記録時刻の早い方の同一シーン区間の終了位置から記録時刻の遅い方の同一シーン区間の終了位置まで、スキップすることが可能となる映像再生装置を提供することを目的とする。
【０００７】
また、この発明は、再生しようとする映像ソース中に、所定時間以内の区間内において、ある区間を挟んで同じシーンの区間が存在する場合には、再生時において、これらの同一シーン区間のうち、記録時刻の早い方の同一シーン区間の開始位置から記録時刻の遅い方の同一シーン区間の開始位置まで、スキップすることが可能となる映像再生装置を提供することを目的とする。
【課題を解決するための手段】
【０００８】
請求項１に記載の発明は、記録媒体に記録された映像ソースを再生する機能を備えた映像再生装置において、記録媒体に記録された映像ソースに基づいて、当該映像ソース中に、所定時間以内の区間内において、ある区間を挟んで同じシーンの区間が存在するか否かを判別していき、存在する場合にはこれらの同一シーン区間のうち記録時刻の早いほうの同一シーン区間の終了位置と記録時刻の遅い方の同一シーン区間の終了位置とを、それぞれスキップ開始位置およびスキップ終了位置のペアデータとして登録させるスキップ位置特定処理手段、ならびに再生時において、スキップ位置特定処理手段によって登録されたペアデータに基づいてスキップ処理を行うためのスキップ処理手段を備えており、スキップ処理手段は、再生位置がスキップ位置特定処理手段によって登録されているペアデータのスキップ開始位置に到達したときには、スキップが可能である旨を表示させる第１手段、および第１手段によってスキップが可能である旨が表示されている間において、ユーザによってスキップ指令が入力されたときには、再生位置を上記ペアデータのスキップ終了位置までスキップさせるとともにスキップが可能である旨の表示を消去させる第２手段を備えていることを特徴とする。
【０００９】
請求項２に記載の発明は、記録媒体に記録された映像ソースを再生する機能を備えた映像再生装置において、記録媒体に記録された映像ソースに基づいて、当該映像ソース中に、所定時間以内の区間内において、ある区間を挟んで同じシーンの区間が存在するか否かを判別していき、存在する場合にはこれらの同一シーン区間のうち記録時刻の早いほうの同一シーン区間の終了位置と記録時刻の遅い方の同一シーン区間の終了位置とを、それぞれスキップ開始位置およびスキップ終了位置のペアデータとして登録させるスキップ位置特定処理手段、ならびに再生時において、スキップ位置特定処理手段によって登録されたペアデータに基づいてスキップ処理を行うためのスキップ処理手段を備えており、スキップ処理手段は、再生位置がスキップ位置特定処理手段によって登録されているペアデータのスキップ開始位置に到達したときには、再生位置を上記ペアデータのスキップ終了位置までスキップさせる手段を備えていることを特徴とする。
【００１０】
請求項３に記載の発明は、記録媒体に記録された映像ソースを再生する機能を備えた映像再生装置において、記録媒体に記録された映像ソースに基づいて、当該映像ソース中に、所定時間以内の区間内において、ある区間を挟んで同じシーンの区間が存在するか否かを判別していき、存在する場合にはこれらの同一シーン区間のうち記録時刻の早いほうの同一シーン区間の開始位置と記録時刻の遅い方の同一シーン区間の開始位置とを、それぞれスキップ開始位置およびスキップ終了位置のペアデータとして登録させるスキップ位置特定処理手段、ならびに再生時において、スキップ位置特定処理手段によって登録されたペアデータに基づいてスキップ処理を行うためのスキップ処理手段を備えており、スキップ処理手段は、再生位置がスキップ位置特定処理手段によって登録されているペアデータのスキップ開始位置に到達したときには、スキップが可能である旨を表示させる第１手段、および第１手段によってスキップが可能である旨が表示されている間において、ユーザによってスキップ指令が入力されたときには、再生位置を上記ペアデータのスキップ終了位置までスキップさせるとともにスキップが可能である旨の表示を消去させる第２手段を備えていることを特徴とする。
【００１１】
請求項４に記載の発明は、記録媒体に記録された映像ソースを再生する機能を備えた映像再生装置において、記録媒体に記録された映像ソースに基づいて、当該映像ソース中に、所定時間以内の区間内において、ある区間を挟んで同じシーンの区間が存在するか否かを判別していき、存在する場合にはこれらの同一シーン区間のうち記録時刻の早いほうの同一シーン区間の開始位置と記録時刻の遅い方の同一シーン区間の開始位置とを、それぞれスキップ開始位置およびスキップ終了位置のペアデータとして登録させるスキップ位置特定処理手段、ならびに再生時において、スキップ位置特定処理手段によって登録されたペアデータに基づいてスキップ処理を行うためのスキップ処理手段を備えており、スキップ処理手段は、再生位置がスキップ位置特定処理手段によって登録されているペアデータのスキップ開始位置に到達したときには、再生位置を上記ペアデータのスキップ終了位置までスキップさせる手段を備えていることを特徴とする。
【発明の効果】
【００１２】
この発明によれば、再生しようとする映像ソース中に、所定時間以内の区間内において、ある区間を挟んで同じシーンの区間が存在する場合には、再生時において、これらの同一シーン区間のうち、記録時刻の早い方の同一シーン区間の終了位置から記録時刻の遅い方の同一シーン区間の終了位置まで、スキップすることが可能となる。
【００１３】
また、この発明によれば、再生しようとする映像ソース中に、所定時間以内の区間内において、ある区間を挟んで同じシーンの区間が存在する場合には、再生時において、これらの同一シーン区間のうち、記録時刻の早い方の同一シーン区間の開始位置から記録時刻の遅い方の同一シーン区間の開始位置まで、スキップすることが可能となる。
【発明を実施するための最良の形態】
【００１４】
以下、図面を参照して、この発明の実施の形態について説明する。
【実施例１】
【００１５】
〔１〕映像記録再生装置の電気的構成についての説明
図１は、映像記録再生装置の電気的構成を示している。
【００１６】
１は、ＢＳ・ＣＳ・地上デジタル放送等を受信するためのチューナ部である。２は、チューナ部１から出力される信号を復調して、ＭＰＥＧ２トランスポートストリーム等、映像・音声の圧縮データを出力する復調部である。
【００１７】
３は、復調部２から出力されるデジタルストリーム（ＭＰＥＧ２トランスポートストリーム等）から、制御部１０の指示するチャンネルに該当するデジタルストリームを抽出するとともに、その中から映像、音声、番組情報等を分離する分離部である。
【００１８】
４は、分離部３によって得られた圧縮映像データおよび圧縮音声データをファイルとして記録するための圧縮データ蓄積部である。圧縮データ蓄積部４は、例えば、ハードディスクドライブ、不揮発性メモリ、書き込み可能なＣＤ、あるいは書き込み可能なＤＶＤ等の記憶媒体およびファイルシステムから構成される。
【００１９】
５は、分離部３から出力される圧縮音声データまたは圧縮データ蓄積部４から読み出される圧縮音声データから音声信号をデコードして出力する音声デコード部である。６は、分離部３から出力される圧縮映像データまたは圧縮データ蓄積部４から読み出される圧縮映像データから映像信号をデコードして出力する映像デコード部である。
【００２０】
７は、番組案内画面や各種設定画面等をオンスクリーン表示するためのＯＳＤデータを、映像デコード部６から出力される映像信号に合成するためのＯＳＤ多重処理部である。８は、操作部である。１０は、映像記録再生装置の各部を制御するための制御部である。      
【００２１】
〔２〕放送番組の視聴時の動作についての説明
操作部８により放送番組の視聴が指示された場合には、制御部１０は操作部８によって選択されたチャンネルにしたがって、チューナ部１、復調部２および分離部３を制御して選局動作を行なう。これにより、復調部２から出力されるテジタルデータが分離部３によって映像データと音声データとに分離される。映像データは映像デコード部６によってデコードされた後、ＯＳＤ多重処理部４を介して、出力される。音声データは、音声デコード部５によってデコードされた後、出力される。
【００２２】
〔３〕放送番組の録画時の動作についての説明
操作部８により放送番組の録画が指示された場合には、制御部１０は操作部８によって選択されたチャンネルにしたがって、チューナ部１、復調部２および分離部３を制御して選局動作を行ない、分離部３によって得られる圧縮映像データおよび圧縮音声データを圧縮データ蓄積部４に送る。圧縮データ蓄積部４は、入力されたデジタルデータを、順次記録する。
【００２３】
〔４〕録画データの再生時の動作についての説明
操作部８により録画データの再生が指示された場合には、制御部１０は操作部８によって指定された録画データを圧縮データ蓄積部４から読み出す。そして、得られた圧縮映像データを映像デコード部６に送るとともに得られた圧縮音声データを音声デコード部５に送る。
【００２４】
〔５〕ＣＭスキップについての説明
この実施例では、ＣＭの前後で同じシーンが放送される番組を再生している場合において、ＣＭの前の同一シーンの終了位置から、ＣＭの後の同一シーンの終了位置までをスキップさせる機能を備えている。
【００２５】
例えば、図２に示すように、録画しようとする番組において、ＣＭ区間（Ｂ−Ｃ）の前後に同一シーン区間（Ａ−ＢとＣ−Ｄ）が存在する場合には、ＣＭ前の同一シーンの終了位置Ｂまで再生が行われた時点で、「ＣＭスキップが可能です」というＯＳＤ表示を行う。視聴者は、ＣＭスキップを望む場合には、操作部８に設けられたＣＭスキップボタンを操作して、ＣＭスキップ指令を入力する。ＣＭスキップ指令が入力された場合には、ＣＭ後の同一シーンの終了位置Ｄまで、スキップさせる。つまり、再生位置を、ＣＭ後の同一シーンの終了位置まで移動させる。
【００２６】
このようなＣＭスキップを行うために、この実施例では、放送番組の録画が終了した時点において、スキップ位置の特定処理が行われる。
【００２７】
図３は、スキップ位置の特定処理手順を示している。
【００２８】
まず、ファイルの先頭フレームを比較元フレーム番号（ＦＲ＿ＯＲＧ）に設定する（ステップＳ１）。次に、比較元フレーム番号（ＦＲ＿ＯＲＧ）に対してＣＭが既に終わっている可能性がある３０秒後のフレームの番号を比較対象フレーム番号（ＦＲ）として設定する（ステップＳ２）。
【００２９】
比較対象フレーム（ＦＲ番目のフレーム）がファイルの終端以降であるか否かを判別する（ステップＳ３）。比較対象フレームがファイルの終端以降である場合には、このファイルに対するスキップ位置の特定処理を終了する。
【００３０】
上記ステップＳ３において、比較対象フレームがファイルの終端以降ではないと判別した場合には、比較元フレーム（ＦＲ＿ＯＲＧ番目のフレーム）と比較対象フレーム（ＦＲ番目のフレーム）とが同一シーンであるか否かを判別する（ステップＳ４）。
【００３１】
比較元フレームと比較対象フレームとが同一シーンでない場合には、比較対象フレーム番号（ＦＲ）を１だけインクリメントする（ステップＳ５）。つまり、比較対象フレームを１フレーム進める。そして、比較対象フレーム番号（ＦＲ）と比較元フレーム番号（ＦＲ＿ＯＲＧ）との差が、３分以上に相当するか否かを判別する（ステップＳ６）。
【００３２】
比較対象フレーム番号（ＦＲ）と比較元フレーム番号（ＦＲ＿ＯＲＧ）との差が、３分以上に相当しない場合には、ステップＳ３に戻る。比較対象フレーム番号（ＦＲ）と比較元フレーム番号（ＦＲ＿ＯＲＧ）との差が、３分以上に相当する場合には、比較元フレーム番号（ＦＲ＿ＯＲＧ）を１だけインクリメントする（ステップＳ７）。つまり、比較元フレームを１フレーム進める。そして、ステップＳ２に戻る。
【００３３】
上記ステップＳ４において、比較元フレームと比較対象フレームとが同一シーンであると判別された場合には、変数Ｄに１を設定する（ステップＳ８）。そして、（ＦＲ＋Ｄ）番目のフレーム（比較対象フレームからＤ番目のフレーム）がファイルの終端以降であるか否かを判別する（ステップＳ９）。（ＦＲ＋Ｄ）番目のフレームがファイルの終端以降である場合には、このファイルに対するスキップ位置の特定処理を終了する。
【００３４】
上記ステップＳ９において、（ＦＲ＋Ｄ）番目のフレームファイルの終端以降ではないと判別した場合には、（ＦＲ＿ＯＲＧ＋Ｄ）番目のフレーム（比較元フレームからＤ番目のフレーム）と、（ＦＲ＋Ｄ）番目のフレーム（比較対象フレームからＤ番目のフレーム）とが同一シーンであるか否かを判別する（ステップＳ１０）。（ＦＲ＿ＯＲＧ＋Ｄ）番目のフレームと、（ＦＲ＋Ｄ）番目のフレームとが同一シーンである場合には、変数Ｄを１だけインクリメントした後（ステップＳ１１）、ステップＳ９に戻る。
【００３５】
上記ステップＳ１０において、（ＦＲ＿ＯＲＧ＋Ｄ）番目のフレームと、（ＦＲ＋Ｄ）番目のフレームとが同一シーンではないと判別した場合には、変数Ｄが１５秒以上に相当するか否かを判別する（ステップＳ１２）。変数Ｄが１５秒以上に相当すると判別とした場合には、つまり、同じシーンの区間が１５秒以上であると判別した場合には、（ＦＲ＿ＯＲＧ＋Ｄ）番目のフレームの位置（前側の同じシーンの終了位置）と、（ＦＲ＋Ｄ）番目のフレームの位置（後側の同じシーンの終了位置）とを、スキップ開始位置およびスキップ終了位置として登録する（ステップＳ１３）。そして、比較元フレーム番号（ＦＲ＿ＯＲＧ）を（ＦＲ＿ＯＲＧ＋Ｄ）に更新した後（ステップＳ１４）、ステップＳ２に戻る。
【００３６】
上記ステップＳ１２において、変数Ｄが１５秒以上に相当しないと判別した場合には、ステップＳ１３の処理を行うことなく、ステップＳ１４に進む。
【００３７】
図２の例で説明すると、比較元フレームが位置Ａのフレームに設定された後、比較対象フレームが位置Ｃに設定された際に、ステップＳ４において、両フレームが同一シーンであると判別される。そして、変数Ｄが区間Ａ−Ｂの距離に相当する値以内である場合には、ステップＳ１０において、（ＦＲ＿ＯＲＧ＋Ｄ）番目のフレームと、（ＦＲ＋Ｄ）番目のフレームとが同一シーンであると判別される。変数Ｄが区間Ａ−Ｂの距離に相当する値を越えると、ステップＳ１０において、（ＦＲ＿ＯＲＧ＋Ｄ）番目のフレームと、（ＦＲ＋Ｄ）番目のフレームとが同一シーンでないと判別され、位置Ｂ（正確には位置Ｂを少し越えた位置）と位置Ｄ（正確には位置Ｄを少し越えた位置）とがスキップ開始位置およびスキップ終了位置として登録される。
【００３８】
図４は、あるファイルについて、スキップ位置の特定処理によって登録されたスキップ開始位置およびスキップ終了位置からなる時刻対データを示している。この例では、３組の時刻対データが、時刻の早い順番で登録されている。各組の時刻対データには、時刻の早いものから、１から始まる時刻対Ｎｏが付けられている。
【００３９】
図５は、再生時の処理手順を示している。
【００４０】
まず、時刻対Ｎｏを表す変数Ｎを１に設定する（ステップＳ２１）。また、ＳＫＩＰ＿ＦＬＡＧをリセット（ＳＫＩＰ＿ＦＬＡＧ＝０）する（ステップＳ２２）。そして、再生位置をファイル先頭位置に設定する（ステップＳ２３）。
【００４１】
次に、Ｎ番目の時刻対データ（時刻対ＮｏがＮである時刻対データ）が存在するか否かを判別する（ステップＳ２４）。Ｎ番目の時刻対データが存在する場合には、Ｎ番目の時刻対データにおけるスキップ開始位置が再生位置と同じであるか否かを判別する（ステップＳ２５）。Ｎ番目の時刻対データにおけるスキップ開始位置が再生位置と異なる場合には、Ｎ番目の時刻対データにおけるスキップ終了位置が再生位置と同じであるか否かを判別する（ステップＳ２６）。
【００４２】
Ｎ番目の時刻対データにおけるスキップ終了位置が再生位置と異なる場合には、ＳＫＩＰ＿ＦＬＡＧがセットされているか否かを判別する（ステップＳ２７）。ＳＫＩＰ＿ＦＬＡＧがセットされてない場合（ＳＫＩＰ＿ＦＬＡＧ＝０）には、ステップＳ３５に進み、１秒間映像を再生し、再生位置を１秒分進める。そして、再生位置がファイルの終端に到達したか否かを判別する（ステップＳ３６）。再生位置がファイルの終端に到達していない場合には、ステップＳ２４に戻る。再生位置がファイルの終端に到達している場合には、再生を終了する。
【００４３】
上記ステップＳ２５において、Ｎ番目の時刻対データにおけるスキップ開始位置が再生位置と同じであると判別した場合には、ＳＫＩＰ＿ＦＬＡＧをセット（ＳＫＩＰ＿ＦＬＡＧ＝１）した後（ステップＳ２８）、「ＣＭスキップが可能です」というメッセージをオンスクリーン表示する（ステップＳ２９）。そして、「ＣＭスキップが可能です」というメッセージが表示中において、ＣＭスキップボタンが押されたか否かを判別する（ステップＳ３０）。ＣＭスキップボタンが押されてない場合には、ステップＳ３５に進む。ＣＭスキップボタンが押された場合には、ステップＳ３１に移行する。
【００４４】
ステップ３１では、Ｎ番目の時刻対データにおけるスキップ終了位置まで、再生位置を進める。また、「ＣＭスキップが可能です」というメッセージの表示を消去するとともに、ＳＫＩＰ＿ＦＬＡＧをリセット（ＳＫＩＰ＿ＦＬＡＧ＝０）する。そして、ステップＳ３５に進む。
【００４５】
上記ステップＳ２７において、ＳＫＩＰ＿ＦＬＡＧがセットされている場合（ＳＫＩＰ＿ＦＬＡＧ＝１）には、ステップＳ２９に進む。
【００４６】
上記ステップＳ２６において、Ｎ番目の時刻対データにおけるスキップ終了位置が再生位置と同じであると判別した場合には、「ＣＭスキップが可能です」というメッセージの表示を消去する（ステップＳ３２）。また、ＳＫＩＰ＿ＦＬＡＧをリセット（ＳＫＩＰ＿ＦＬＡＧ＝０）する（ステップＳ３３）。さらに、変数Ｎを１だけインクリメントした後（ステップＳ３４）、ステップＳ３５に進む。
【００４７】
上記ステップＳ２４において、Ｎ番目の時刻対データが存在しない場合には、ステップＳ３５に進む。
【００４８】
上記実施例では、スキップ位置の特定処理において、ＣＭ前の同一シーンの終了位置（図２のＢ）とＣＭ後の同一シーンの終了位置（図２のＤ）とを検出して登録しているが、ＣＭ前の同一シーンの開始位置（図２のＡ）とＣＭ後の同一シーンの開始位置（図２のＣ）とを検出して登録するようにしてもよい。つまり、図３のステップＳ１３においては、ＦＲ＿ＯＲＧ番目のフレームの位置（前側の同じシーンの開始位置）と、ＦＲ番目のフレームの位置（後側の同じシーンの開始位置）とが、スキップ開始位置およびスキップ終了位置として登録される。
【００４９】
この場合には、再生時においては、再生位置がＣＭ前の同一シーンの開始位置（図２のＡ）に到ると、「ＣＭスキップが可能です」というメッセージが表示される。そして、ＣＭスキップボタンが押されると、ＣＭ後の同一シーンの開始位置（図２のＣ）まで再生位置が進められる。
【００５０】
また、上記実施例では、ＣＭスキップボタンが押された場合にのみＣＭスキップを行うようにしているが、ＣＭスキップモードを用意しておき、ユーザが再生開始前にＣＭスキップモードを設定した場合には、再生位置がスキップ開始位置に到達したときには、再生位置をスキップ終了位置まで、自動的に進める（スキップさせる）ようにしてもよい。
【図面の簡単な説明】
【００５１】
【図１】映像記録再生装置の電気的構成を示すブロック図である。
【図２】本実施例のＣＭスキップを説明するめたの模式図である。
【図３】スキップ位置の特定処理手順を示すフローチャートである。
【図４】あるファイルについて、スキップ位置の特定処理によって登録されたスキップ開始位置およびスキップ終了位置からなる時刻対データを示す模式図である。
【図５】再生時の処理手順を示すフローチャートである。
【符号の説明】
【００５２】
１  チューナ部
２  復調部
３  分離部
４  圧縮データ蓄積部
５  音声デコード部
６  映像デコード部
７  ＯＳＤ多重処理部
８  操作部
１０  制御部
【図１】
2006041914.tif 000003
【図２】
2006041914.tif 000004
【図３】
2006041914.tif 000005
【図４】
2006041914.tif 000006
【図５】
2006041914.tif 000007